(57)【特許請求の範囲】
【請求項１】
ノズル体（１２）内に配置されているノズル（２６）を有し，このノズル（２６）のノズル孔（３４）が該ノズル孔（３４）に対してほぼ垂直にノズル体（１２）内を延びる供給孔（２４）に接続されており，前記供給孔（２４）が止まり穴として構成されており，前記ノズル孔（３４）が止まり穴の底の近くにある形式のノズル装置において，前記供給孔（２４）の内部に，圧力をかけられて該供給孔（２４）に供給される媒体に影響を及ぼすための少なくとも１つの流動制御体（４０）が配置されており、該流動制御体（４０）が，前記供給孔（２４）の壁部（２０）と結合されて該供給孔（２４）の軸方向に延びているウェブ（３８）であり、当該ノズル装置（１０）が２つのノズル（２６）を有しており，これらのノズル（２６）のノズル孔（３４）が互いに軸方向で間隔をおいて前記供給孔（２４）内に開口しておりかつこれらのノズル（２６）のノズル孔（３４）が，前記供給孔（２４）の１半径線（３６）に対して，それぞれ同じ大きさであるが鏡像的である角度（α，α′）で延びており、前記ウェブ（３８）がノズル孔（３４）に対して非対称的に配置されていることを特徴とするノズル装置。
【請求項２】
前記ウェブ（３８）が軸方向の一方の端面で前記供給孔（２４）の底（２２）に接していることを特徴とする，請求項１記載のノズル装置。
【請求項３】
前記ウェブ（３８）が半径方向に延びる２つの側面（４２）を有しており，これらの側面（４２）が合わさる頂線が前記供給孔（２４）の縦軸線（４６）と合致していないことを特徴とする，請求項１又は２記載のノズル装置。
【請求項４】
ウェブ流動方向（５４）で上流側のウェブ端面が，前記供給孔（２４）の半径方向平面に対して角度（γ）で延びていることを特徴とする，請求項１から３までのいずれか１項記載のノズル装置。
【請求項５】
ウェブ（３８）が前記ノズル孔（３４）に向き合って前記供給孔（２４）内に配置されていて，前記半径線（３６）に対して角度（β）をなして半径方向に延びていることを特徴とする，請求項１から４のいずれか１項記載のノズル装置。
【請求項６】
前記ウェブ（３８）が軸方向に１つの点（４８）まで延びており，底（２２）からのこの点の間隔（ａ）が底（２２）からの第１のノズル（２６）のノズル孔（３４）の縦軸線（５０）の間隔（ａ１）よりも大きく，底（２２）からの第２のノズル（２６）のノズル孔（３４）の縦軸線（５２）の間隔（ａ２）よりも小さいことを特徴とする，請求項１から５までのいずれか１項記載のノズル装置。
【発明の詳細な説明】
【０００１】
【発明の属する技術分野】
本発明は，ノズル体内に配置されている少なくとも１つのノズルを有し，この少なくとも１つのノズルのノズル孔が，ノズル体の，ノズル孔に対してほぼ垂直に延びる供給孔に接続されており，その際この供給孔は止まり穴として構成されており，ノズル孔は止まり穴の底の近くにある形式のノズル装置，特に自動車のウインドワイパ装置のためのノズル装置に関する。
【０００２】
【従来の技術】
このような形式のノズル装置は種々のものが公知である。これら公知のノズル装置は，例えば，自動車のウインドガラス特にリヤウインドガラスのワイパ装置にガラスクリーニングのための水を供給するのに使用される。この場合，少なくとも１つ，ときおり２つのノズルを有しているノズル体が設けられている。このノズル体は片側を閉じられている円筒体によって形成され，その際円筒体の内室は水の供給孔を形成している。ノズルは円筒体の外とう内に配置されており，その際ノズルのノズル孔は供給孔に対してほぼ垂直に延びている。普通はノズルは調節可能なノズルとして，例えばいわゆる玉ノズルとして構成されており，したがってノズルの噴射方向は可変である。ノズルはこの場合供給孔の底の近くに配置されている。公知のノズル装置においては，圧力をかけられて噴射水が供給されることに基づいて供給孔内に渦が形成され，この渦形成によってノズルから出る噴流が著しく拡散するという欠点がある。
【０００３】
【発明が解決しようとする課題】
本発明の課題は，このようなノズル噴流の拡散を抑制することである。
【０００４】
【課題を解決するための手段】
この課題を解決するために，本発明の構成では，最初に述べた形式のノズル装置において，供給孔の内部に，圧力をかけられて供給孔に供給される媒体に影響を及ぼすための少なくとも１つの流動制御体が配置されているようにした。
【０００５】
【発明の実施の形態】
本発明の有利な実施形態では，流動制御体は，供給孔の壁部と結合されて軸方向に延びるウェブ，特に軸方向の一方の端面で供給孔の底に接しているウェブである。このウェブを配置することによって，驚くべきことには次のことが判明した。すなわち，供給孔を通って流れて供給孔の底に打ち当たる媒体特に水が渦形成を阻止され，したがって圧力をかけられている媒体が大体において一様に少なくとも１つのノズルに導かれることができ，わずかにしか拡散していない束ねられた噴流が形成される。
【０００６】
本発明の別の有利な実施形態では，ノズル装置が２つのノズルを有しており，これらのノズルのノズル孔は互いに軸方向で間隔をおいて供給孔内に開口しており，かつこれらのノズルのノズル孔は，供給孔の半径線に対して，それぞれ同じ大きさであるが鏡像的である角度で延びており，かつウェブがノズル開口に対して非対称的に配置されている。これによって有利には，噴射すべき媒体の，互いに間隔をおいて配置されているノズル孔に異なった影響を及ぼす渦形成を，それぞれのノズル孔に相応に適合させ，補償若しくは減少させることができる。ウェブの非対称的な配置，特に両方のノズル孔の間に位置する１つの点に至るまでのウェブの延びについては，供給孔の底からのノズル孔の互いに異なった間隔が考慮される。
【０００７】
本発明の別の有利な実施形態は，従属請求項に記載したほかの特徴から明らかになる。
【０００８】
【実施例】
以下においては，図面に示した実施例に基づいて本発明の構成を具体的に説明する。
【０００９】
図１に示したノズル装置１０は，例えば自動車のリヤウインドのためのウインドワイパ装置の構成要素である。このノズル装置１０はノズル体１２を有しており，このノズル体は円筒体１４として構成されている。円筒体１４はその一方の端部１６を閉じられており，したがって円柱状の内室１８は止まり穴として構成されている。内室１８は壁部２０と底２２とによって形成されている。内室１８は，ノズル２６によって噴射される媒体，特にウインドワイパ水のための供給孔２４を形成している。ノズル２６はいわゆる玉ノズルとして構成されていて，ノズル２６の玉形の基体２８はノズル体１２の外とう３２の相応する玉形の凹所３０内に配置されている。これによってノズル２６を周知の形式で調節して，ノズル２６の基体２８を貫通しているノズル孔３４の向きを変えることが可能である。ノズル孔３４は供給孔２４内に開口している。
【００１０】
図２には，図１のＢ−Ｂ線に沿ったノズル装置１０の横断面が示されている。図１と同じ部分には同じ符号を付けてあり，もう一度説明することはしない。図２においては供給孔２４に対して軸方向で互いに間隔をおいて配置されているノズルは１つの観察平面内に投影されている。この場合明らかなように，ノズル孔３４は供給孔２４の半径線３６に対して角度α若しくはα′を成している。ノズル２６はこの場合仮定した出発位置において示されており，ノズル孔３４の縦軸線はいずれも供給孔２４に対する半径線上を延びている。ノズル２６が調節可能であることによって，ノズル孔３４の向きを変えることができ，ノズル孔の縦軸線がもはや供給孔２４に対する半径線上を通らないようにすることができるが，しかしノズル２６の基体２８の中心点はノズル２６がどのような位置にあっても，前記半径線上に位置する。角度α及びα′は半径線３６に対して鏡像的であり，例えば３０°の同じ大きさの角度値を有している。
【００１１】
供給孔２４の内部にはウェブ３８として構成された流動制御体４０が配置されている。図２の断面図が示すように，ウェブ３８は大体において半径方向に延びている２つの側面４２を有しており，これらの側面が合わさる頂点４４若しくは頂線は供給孔２４の縦軸線４６とは合致していない。ウェブ３８は半径線３６に対して例えば１５°の角度βで配置されている。
【００１２】
頂線４４が縦軸線４６と合致していないことによって，かつウェブを半径線３６に対して角度βで配置することによって，ウェブ３８は軸方向平面に関してノズル２６に対して非対称的に配置されるようになる。
【００１３】
図３においては，図１のＡ−Ａ線に沿ったノズル装置１０の縦断面が示されている。同じ部分にはやはり同じ符号を付けてある。Ａ−Ａ線は次のように，すなわちノズル２６が，半径線に対して角度をずらされているにもかかわらず，１つの観察平面に投影されるように，設定されている。この縦断面によって明らかなように，ウェブ３８は供給孔２４の軸方向で底２２から１つの点４８まで延びている。この点４８は底２２から間隔ａのところにあり，この間隔ａはこの場合上方のノズル２６の縦軸線５０の底２２からの間隔ａ１よりも大きく，この場合下方のノズル２６の縦軸線５２の底２２からの間隔ａ２よりも小さい。この場合理想的には，ノズル孔３４の縦軸線５０若しくは５２が供給孔２４の縦軸線４６に対して正確に垂直になるように，ノズル２６の向きが調節される。ノズル２６が調節可能であることによって，ノズル２６の向きは，既に述べたように，変化することができる。点４８から見て，ウェブ３８の両側面４２の頂線４４は最初は角度γで延びており，したがって流動方向５４から見て船首状のウェブ３８の形状が生ぜしめられる。
【００１４】
結局のところ，供給孔２４内にウェブ３８を配置することによって，流動方向５４で圧力下で供給孔２４内に流入する媒体は，供給孔２４の底２２にぶつかる際に，ノズル孔３４からの概略的に示した噴流５６に影響を及ぼす渦流を形成することはない。この場合，噴流５６は充分に束ねられて，ほとんど拡散せずに，ノズル装置から噴出する。特にウェブ３８をノズル２６の軸方向並びに半径方向配置に関して非対称的に配置することによって，供給孔２４の底２２における渦の形成に影響が及ぼされて，両方のノズル２６における噴流５６の収束が申し分なく行われる。
【００１５】
【発明の効果】
本発明によるノズル装置は，ノズルから出る噴流を簡単な形式で束ねる（収束する）ことが可能であるという利点を有している。供給孔の内部に，圧力をかけられて供給される媒体に影響を及ぼす少なくとも１つの流動制御体が配置されていることによって，有利には，供給孔の内部の渦形成が回避されるか，若しくは影響を及ぼされて，少なくとも１つのノズルから出る噴流が明確に束ねられ，換言すれば噴流がわずかにしか拡散しないようにすることが，可能である。これによって，特に拭うべきウインドガラスの所定の箇所を，大体において正確に濡らすことが可能である。
【図面の簡単な説明】
【図１】ノズル装置の概略的平面図である。
【図２】ノズル装置の概略的横断面図である。
【図３】ノズル装置の概略的縦断面図である。
【符号の説明】
１０  ノズル装置，  １２  ノズル体，  １４  円筒体，  １６  端部，  １８  内室，  ２０  壁部，  ２２  底，  ２４  供給孔，  ２６  ノズル，  ２８  基体，  ３０  凹所，  ３２  外とう，  ３４  ノズル孔，  ３６  半径線，  ３８  ウェブ，  ４０  流動制御体，  ４２  側面，  ４４  頂点若しくは頂線，  ４６  縦軸線，  ４８  点，  ５０及び５２  縦軸線，  ５４  流動方向，  ５６  噴流，  ａ，ａ１及びａ２  間隔，  α，α′，β及びγ  角度
【図１】
0004266413.tif 000002
【図２】
0004266413.tif 000003
【図３】
0004266413.tif 000004